(57)【要約】【課題】簡単な構成で、風通しが良好なテント本体を有するテントを提供する。【解決手段】テントは、支持ポール１によって張設されるテント本体２とを備えている。テント本体２は、床部パネル２０と、一対の側部パネル２１、２１、前方パネル２２、および後方パネル２３とを含んでおり、支持ポール１によって所謂ドーム状に張設される形状を有している。相対向するよう位置する前方パネル２２と後方パネル２３の壁部には、出入口３がそれぞれ設けられている。出入口３は、幅方向中央に鉛直方向に延びるよう配設された壁部鉛直方向ファスナ３０と、壁部鉛直方向ファスナ３０の下端から前方パネル２２または後方パネル２３の底辺に沿って左右方向外側にそれぞれ延びるように配設された壁部水平方向ファスナ３１、３１とを備えている。出入口３の内側には通気性を有するとともに前記テント本体の内部の視認性を低下させるメッシュパネル５が設けられている。【選択図】図８
2018021447.tif 000002
【特許請求の範囲】
【請求項１】
支持ポールにより張設されるテント本体の相対向する壁部にそれぞれ出入口を設けたことを特徴とするテント。
【請求項２】
前記各出入り口は、
前記各壁部の幅方向中央に鉛直方向に延びるようそれぞれ配置されてスライダを上昇移動させることにより開き、下方に向かって前記スライダを下降移動させることにより閉じる壁部鉛直方向ファスナと、
前記各壁部のそれぞれの底辺近傍において、前記壁部鉛直方向ファスナの下端から左右幅方向外側にそれぞれ延びるよう前記底辺に沿って配設されて、前記壁部鉛直方向ファスナの下端から前記左右幅方向外側に向かってスライダを移動させることによりそれぞれ開き、前記左右幅方向外側から前記壁部鉛直方向ファスナの下端に向かって移動させることによりそれぞれ閉じる壁部水平方向ファスナと
を備えていることを特徴とする請求項１に記載のテント。
【請求項３】
前記各出入口の内側に通気性を有するとともに前記テント本体の内部の視認性を低下させるメッシュスクリーンがそれぞれ設けられており、
前記各メッシュスクリーンは、前記壁部鉛直方向ファスナおよび前記壁部各水平方向ファスナとそれぞれ対応する鉛直方向メッシュスクリーンファスナおよび水平方向メッシュスクリーンファスナとを備えていることを特徴とする請求項２に記載のテント。
【請求項４】
前記テント本体はさらに、出入口が設けられた壁部の少なくとも一方の外側前方に延び床部を構成するフロントシートを備えていることを特徴とする請求項１〜３のいずれか１項に記載のテント。
【発明の詳細な説明】
【技術分野】
【０００１】
本発明は、シート材からなるテント本体を支持ポールにより張設するテントに関する。
【背景技術】
【０００２】
本発明に関連する従来の技術としては、例えば特許文献１が知られている。特許文献１には、無端のばね性を有する棒材が８字形に曲げられ交点を挟んで連続する二つのループを対称に形成した支持ポールに所定形状のテント本体が張設されて前記交点を頂端とする山形に形成されていることを特徴とするテントが開示されている。
【０００３】
そして、特許文献１には、幕片２３が構成する前壁４３に出入口５１を切り欠き形成することが記載されている。なお、特許文献の第１図には、出入口５１が、前壁４３の両側の支持ポール１の傾斜部１４にそれぞれ沿った側部と、両側部の下端と連続する水平部とを有する略Ｕ字状またはコ字状の鎖線で示されており、前壁４３の上方中央が繋がっていることから、テント本体の内部と外部との間で出入する際には、出入口５１の下端（水平部）を持ち上げることとなる。また、特許文献１の図７には、テント本体の上に被せたカバー７の、テントの出入口５１と対応して形成された鉛直方向に延びる開口部を開いた状態が示されている。
【先行技術文献】
【特許文献】
【０００４】
【特許文献１】特開平３−２１７７９号公報
【発明の概要】
【発明が解決しようとする課題】
【０００５】
上記特許文献１にあっては、テント本体の前壁のみに出入口を切り欠き形成するのみであったため、風がテント本体内を通り抜けることができなかった。そのため、風通しが良好なテントが望まれていた。
また、テント本体の出入口の大きさを変更してテント本体内の通風量を容易に調整することができるテントが望まれていた。
さらに、上記特許文献１のように出入口５１を巻上げると、害虫などがテント本体内に侵入したり、テント本体の内部を外部から容易に窺い見られる可能性などがあることからテント本体の内部をプライベート空間として安心して使用することができないなどの問題もあった。
さらに、上記特許文献１のようなテントにあっては、テント本体の床部の面積しか使用することができず、床部以外に拡張して使用することができる部分が望まれていた。
【０００６】
本発明は、上述した問題に鑑みてなされたもので、簡単な構成で、風通しが良好なテント本体を有するテントを提供することを目的とする。
また、本発明は、上述した問題に鑑みてなされたもので、簡単な構成で、テント本体の出入口の大きさを容易に変更し通風量を調整することができるテント本体を有するテントを提供することを目的とする。
さらに、本発明は、上述した問題に鑑みてなされたもので、簡単な構成で、テント本体内への風通しを確保しつつ、テント本体内に害虫が侵入するのを防止するとともに、テント本体の内部をプライベート空間として安心して使用することができるテントを提供することを目的とする。
さらにまた、本発明は、上述した問題に鑑みてなされたもので、簡単な構成で、テント本体の床部以外にも使用することができる部分を有するテントを提供することを目的とする。
【課題を解決するための手段】
【０００７】
請求項１のテントに係る発明は、上記目的を達成するため、支持ポールにより張設されるテント本体の相対向する壁部にそれぞれ出入口を設けたことを特徴とする。
請求項２のテントに係る発明は、上記目的を達成するため、請求項１に記載の発明において、前記各出入り口は、前記各壁部の幅方向中央に鉛直方向に延びるようそれぞれ配置されてスライダを上昇移動させることにより開き、下方に向かって前記スライダを下降移動させることにより閉じる壁部鉛直方向ファスナと、前記各壁部のそれぞれの底辺近傍において、前記壁部鉛直方向ファスナの下端から左右幅方向外側にそれぞれ延びるよう前記底辺に沿って配設されて、前記壁部鉛直方向ファスナの下端から前記左右幅方向外側に向かってスライダを移動させることによりそれぞれ開き、前記左右幅方向外側から前記壁部鉛直方向ファスナの下端に向かって移動させることによりそれぞれ閉じる壁部水平方向ファスナとを備えていることを特徴とする。
請求項３のテントに係る発明は、上記目的を達成するため、請求項２に記載の発明において、前記各出入口の内側に通気性を有するとともに前記テント本体の内部の視認性を低下させるメッシュスクリーンがそれぞれ設けられており、前記各メッシュスクリーンは、前記壁部鉛直方向ファスナおよび前記壁部各水平方向ファスナとそれぞれ対応する鉛直方向メッシュスクリーンファスナおよび水平方向メッシュスクリーンファスナとを備えていることを特徴とする。
請求項４のテントに係る発明は、上記目的を達成するため、請求項１〜３のいずれか１項に記載の発明において、前記テント本体はさらに、出入口が設けられた壁部の少なくとも一方の外側前方に延び床部を構成するフロントシートを備えていることを特徴とする。
【発明の効果】
【０００８】
請求項１の発明によれば、支持ポールにより張設されるテント本体の相対向する壁部にそれぞれ設けられた出入口を開放することにより、テント本体内を風が通り抜けるため、テント本体内の風通しが良好となる。
請求項２の発明によれば、請求項１に記載の発明において、前記各出入り口の壁部鉛直方向ファスナと、前記各出入り口の壁部水平方向ファスナの一方または両方とのスライダの移動量を調整することにより、例えば各出入口を半分（片側）だけ開放したり全開にするなど、各出入口の開放量を容易に調整することができ、その結果、テント本体内への通風量を容易に調整することができる。
請求項３の発明によれば、請求項２に記載の発明において、出入口の一方または両方を開放した場合であっても、鉛直方向メッシュスクリーンファスナと水平方向メッシュスクリーンファスナを閉じた状態とすることにより、害虫がテント本体内に侵入するのを防止すると共にテント本体内への視認性を低下させることができる。また、各出入り口の壁部鉛直方向ファスナおよび鉛直方向メッシュスクリーンファスナと、壁部水平方向ファスナおよび水平方向メッシュスクリーンファスナの一方または両方とを開けば、出入口を介してテント本体内外に出入りすることができる。
請求項４の発明によれば、請求項１〜３のいずれか１項に記載の発明において、フロントシートがテント本体の出入口が設けられた壁部の少なくとも一方の外側前方に延び床部を構成することにより、テント本体の外部にも使用することができる床部が形成される。
【図面の簡単な説明】
【０００９】
【図１】本発明のテントの実施の一形態を示した正面図である。
【図２】図１に示したテントの背面図である。
【図３】図１に示したテントの側面図である。
【図４】図１に示したテントの平面図である。
【図５】図１に示したテントの斜視図である。
【図６】図１に示したテントにおいて、壁部鉛直方向ファスナと壁部水平方向ファスナの片側のみを開いた片開き状態を示した斜視図である。
【図７】図１に示したテントにおいて、壁部鉛直方向ファスナと壁部水平方向ファスナの両方を開き、且つ、その内側に設けられたメッシュスクリーンを閉じた両開き状態を示した斜視図である。
【図８】図１に示したテントにおいて、両出入り口の壁部鉛直方向ファスナおよび鉛直方向メッシュスクリーンファスナと、左右両方の壁部水平方向ファスナおよび水平方向メッシュスクリーンファスナを開いたフルオープン状態を示した斜視図である。
【発明を実施するための形態】
【００１０】
本実施の形態のテントの実施の一形態における基本的な構成を、図１〜図８に基づいて詳細に説明する。
本実施の形態のテントは、弾性変形可能な棒材または線材を８の字形状として、交差部の両側に環状部が形成された支持ポール１と、この支持ポール１によって張設されるテント本体２とを備えている。そして、テント本体２は、床部パネル２０と、一対の側部パネル２１、２１、前方パネル２２、および後方パネル２３とを含んでおり、支持ポール１によって所謂ドーム状に張設される形状を有している。テント本体２を構成するシート材は、撥水性を有すると共にＵＶカット率が高い生地により構成することができる。図４に平面図で示すように、床部パネルは矩形形状を有している。床部パネルの４か所の角部には、ペグを直接差し込んでテント本体を地面に固定するためのペグ孔を形成することができる。一対の側部パネル２１、２１、前方パネル２２、および後方パネル２３は、それぞれの壁部と、壁部に連続する共通の天井部とを形成する。一対の側部パネル２１、２１は互いに対向するよう位置し、前方パネル２２と後方パネル２３は、互いに対向するよう位置している。
【００１１】
テント本体２の側部パネル２１と前方パネル２２との境界、側部パネル２１と床部パネル２０との境界、側部パネル２１後方パネル２３との境界には、支持ポール１の環状部を収容する筒状部２５を有している。テント本体２は、筒状部２５に収容された支持ポール１の弾性復帰力により、所謂ドーム状に張設される。また、支持ポール１を屈曲させることにより、テントを折り畳むことができる。テントには、折り畳んだ状態で収容するための専用のバッグ（図示は省略する）を付属させることができる。
【００１２】
前方パネル２２と後方パネル２３の壁部には、それぞれ出入口３、３が設けられている。各出入口３は、その前方パネル２２と後方パネル２３の壁部の、幅方向中央に鉛直方向に延びるよう配設された壁部鉛直方向ファスナ３０と、この壁部鉛直方向ファスナ３０の下端から前方パネル２２または後方パネル２３の底辺に沿って左右方向外側にそれぞれ延びるように配設された壁部水平方向ファスナ３１、３１とをそれぞれ備えている。壁部鉛直方向ファスナ３０は、そのスライダ３０ａを上方に向かって上昇移動させることにより開き（図６および図７を参照）、下方に向かってスライダ３０ａを下降移動させることにより閉じる（図１および図２を参照）よう構成されている。また、各壁部水平方向ファスナ３１は、そのスライダ３１ａを壁部鉛直方向ファスナ３０の下端から左右幅方向外側に向かって移動させることによりそれぞれ開き（図６および図７を参照）、そのスライダ３１ａを左右幅方向外側から壁部鉛直方向ファスナ３０の下端に向かって移動させることによりそれぞれ閉じる（図１および図２を参照）よう構成されている。
【００１３】
前方パネル２２および後方パネル２３の壁部の出入口３の内側には、メッシュスクリーン５がそれぞれ設けられている。メッシュスクリーン５は、通気性を有するとともにテント本体の内部に対する視認性を低下させることができるものである。メッシュスクリーン５は、生地に微細な孔を形成したり、格子状に織った生地により構成することができる。メッシュスクリーン５の幅方向中央には、壁部鉛直方向ファスナ３０と対応するように鉛直方向メッシュスクリーンファスナ５０が配設されており、鉛直方向メッシュスクリーンファスナ５０の下端からメッシュスクリーン５の底辺に沿って左右外側方向にそれぞれ壁部水平方向ファスナ３１と対応するように水平方向メッシュスクリーンファスナ５１が設けられている。鉛直方向メッシュスクリーンファスナ５０は、壁部鉛直方向ファスナ３０と同様に、そのスライダ５０ａを上方に向かって上昇移動させることにより開き（図８を参照）、下方に向かってスライダ５０ａを下降移動させることにより閉じる（図６および図７を参照）よう構成されている。また、水平方向メッシュスクリーンファスナ５１は、壁部水平方向ファスナ３１と同様に、そのスライダ５１ａを鉛直方向メッシュスクリーンファスナ５０の下端から左右幅方向外側に向かって移動させることによりそれぞれ開き（図８を参照）、左右幅方向外側から鉛直方向メッシュスクリーンファスナ５０の下端に向かってスライダ５１ａを移動させることによりそれぞれ閉じる（図６および図７を参照）よう構成されている。
【００１４】
図６〜図８に示すように、前方パネル２２および後方パネル２３の壁部の両側辺における高さ方向の中間位置には、前方パネル２２または後方パネル２３の出入口３を開放した部分、および、その内側に設けられたメッシュスクリーン５の開放した部分を束ねて留めることが可能なタッセル６がそれぞれ設けられている。
【００１５】
図１、図４、および図５に示すように、壁部鉛直方向ファスナ３０と左右の壁部水平方向ファスナ３１を閉じた状態では、壁部鉛直方向ファスナ３０のスライダ３０ａが下端に位置し、左右の壁部水平方向ファスナ３１のスライダ３１ａが互いに近づいた状態となっている。つまり、前方パネル２２と後方パネルの壁部２３の出入口３を閉じた状態では、各スライダ３０ａ、３１ａ、３１ａの位置が互いに近接している状態となる。そのため、各スライダ３０ａ、３１ａ、３１ａを離間させないよう錠で連結することにより、出入口３施錠することができる。
【００１６】
また、図６に示すように、鉛直方向メッシュスクリーンファスナ５０水平方向メッシュスクリーンファスナ５１閉じた状態で、壁部鉛直方向ファスナ３０と部水平方向ファスナ３１の一方のみ（図６では左側のみ）とを開いた状態では、前方パネル２２または後方パネル２３の出入口３を半分（片側）だけ開放することができる（片開き状態）。そのため、出入口３を全面にわたって開放する場合と比較して、テント本体の内外間での風通りの量を減少させるよう調整することができる。また、出入口３の開放された半分（片側）の内側は、メッシュスクリーン５が閉じているので、出入口３を半分（片側）を開放した状態であっても、害虫などがテント本体内に侵入するのを防止することができる。また、テント本体２の出入口３を半分（片側）だけ開放したときであっても、その片側だけ開放された出入口３の内側をメッシュスクリーン５が閉じている状態では、テント本体２の内部に対する視認性を低下させるため、テント本体２の内部を外部から窺い見られる可能性を低下させて、テント本体２の内部をプライベート空間として安心して使用することができる。前方パネル２２または後方パネル２３の出入口３を半分（片側）だけ開放した部分は、束ねてタッセル６で留めることにより、出入口３を半分（片側）だけ開放した状態に維持することができる。
【００１７】
さらに、図７に示すように、鉛直方向メッシュスクリーンファスナ５０と、水平方向メッシュスクリーンファスナ５１とを閉じた状態で、壁部鉛直方向ファスナ３０と左右両方の壁部水平方向ファスナ３１、３１を開いた状態では、前方パネル２２または後方パネル２３の出入口３が全面にわたって開放される（両開き状態）。そのため、出入口３の半分（片側）だけ開放する場合と比較して、テント本体２の内外間での風通りの量を増大させるよう調整することができる。また、開放された出入口３の内側は、メッシュスクリーン５が閉じているので、テント本体２内に害虫などが侵入するのを防止することができ、また、テント本体２の内部に対する視認性を低下させて、テント本体２の内部をプライベート空間として安心して使用することができる。前方パネル２２または後方パネル２３の開放した部分は、それぞれ束ねてタッセル６で留めることにより、出入口３を全面にわたって開放した状態に維持することができる。
【００１８】
なお、風向きや風の強さなどによって、前方パネル２２または後方パネル２３の出入口３の状態を異ならせる、つまり、例えば、前方パネル２２と後方パネル２３の一方の出入口３を両開き状態とするとともに他方の出入口３を片開き状態としたり、前方パネル２２と後方パネル２３とで出入口３の半分（片側）だけ開放する側を左右で異ならせたり同じ側にするなど、必要に応じて調整することができる。また、壁部鉛直方向ファスナ３０と壁部水平方向ファスナ３１を完全に閉じるかまたは開くだけでなく、各ファスナ３０、３１、３１の中間部にそれぞれのスライダ３０ａ、３１ａ、３１ａを位置させることにより、さらに出入口３の開放度を細かく調節することができる。
【００１９】
また、前方パネル２２または後方パネル２３の出入口３と同様に、その内側に設けられたメッシュパネル５も、鉛直方向メッシュスクリーンファスナ５０と、左右いずれかの水平方向メッシュスクリーンファスナ５１とを開いてメッシュパネル５を片開き状態としたり、また、鉛直方向メッシュスクリーンファスナ５０と、左右両方の水平方向メッシュスクリーンファスナ５１、５１とを開いてメッシュパネル５を両開き状態とし、さらには各ファスナ５０、５１、５１の中間部にそれぞれのスライダ５０ａ、５１ａ、５１ａを位置させて、メッシュスクリーン５の開放度を細かく調節することができる。
【００２０】
さらに、図８に示すように、鉛直方向メッシュスクリーンファスナ５０と、左右両方の水平方向メッシュスクリーンファスナ５１、５１とを開くと共に、壁部鉛直方向ファスナ３０と左右両方の壁部水平方向ファスナ３１、３１の方とを開き、前方パネル２２または後方パネル２３の開放した部分とメッシュパネル５をそれぞれ束ねてタッセル６で留めることにより、テント本体２の出入口３とその内側のメッシュスクリーン５とを全面にわたって完全に開放した状態に維持することができる（フルオープン状態）。そのため、テント本体２の内外間での通風量を最大に調整することができる。
【００２１】
この実施の形態では、床部パネル２０の、前方パネル２２と連続する辺には、床部を構成するフロントシート７がテント本体２の外側に向かって延びるよう連設されている。フロントシート７の先端角部には、ペグなどの固定手段を通す穴（図示は省略する）を設けることができる。フロントシート７を有することにより、テント本体内のスペース（床部パネル２０の面積）だけでなく、テント本体２の外部にも利用できるスペースを得ることができる。なお、フロントシート７は、床部パネル２０の、後方パネル２３と連続する辺に、テント本体２の外側に向かって延びるよう連設してもよく、また、床部パネル２０の、前方パネル２２と後方パネル２３と連続する両辺に、テント本体２の外側に向かってそれぞれ延びるよう連設してもよい。
【００２２】
なお、テント本体の側部パネル２１、２１の少なくとも一方の内側には、小物を収納するポケット（図示は省略する）を設けることができる。また、テント本体の側部パネル２１、前方パネル２２、および後方パネル２３の上方により形成される天井部には、テント本体２内にランタンなどを吊下させることができるフック（図示は省略する）を設けることができる。さらに、筒状部２５の高さ方向中間位置には、ペグに掛止されるロープを取り付けるためのロープ取付部（図示は省略する）を設けることができる。
【符号の説明】
【００２３】
１：支持ポール、  ２：テント本体、  ３：出入口、  ５：メッシュスクリーン、  ７：フロントシート、  ２２：前方パネル、  ２３：後方パネル、  ３０：壁部鉛直方向ファスナ、  ３０ａ：壁部鉛直方向ファスナのスライダ、  ３１：壁部水平法王ファスナ、  ３１ａ：壁部水平方向ファスナのスライダ、  ５０：鉛直方向メッシュスクリーンファスナ、  ５０ａ：鉛直方向メッシュスクリーンファスナのスライダ、  ５１：水平方向メッシュスクリーンファスナ、  ５１ａ：水平方向メッシュスクリーンファスナのスライダ
【図１】
2018021447.tif 000003
【図２】
2018021447.tif 000004
【図３】
2018021447.tif 000005
【図４】
2018021447.tif 000006
【図５】
2018021447.tif 000007
【図６】
2018021447.tif 000008
【図７】
2018021447.tif 000009
【図８】
2018021447.tif 000010